【事件の表示】
　特願２００２−　３５７０４「遊技機」拒絶査定不服審判事件〔平成１５年　８月１９日出願公開、特開２００３−２３０６９７〕について、次のとおり審決する。
【結　論】
　本件審判の請求は、成り立たない。
【理　由】
　
 １．手続きの経緯　
　 
 　本願は、平成１４年２月１３日の特許出願であって、平成１７年５月１３日付で拒絶査定がされたのに対し、同年６月１５日に拒絶査定不服審判が請求されるとともに同年７月７日付手続補正がされたところ、当審において平成２０年４月２１日付で平成１７年７月７日付の手続補正を却下するとともに拒絶理由を通知したのに対して、平成２０年６月１９日付で意見書と手続補正書が提出されたものである。　 
　 　　　　　　　　　　　　　　　　　　　　　　　　　　　　　　　　　 
２．本願発明の認定　　
　　
　本願の請求項１に係る発明（以下、「本願発明」という。）は、平成２０年６月１９日付け手続補正により補正された明細書の特許請求の範囲の【請求項１】に記載された、次のとおりのもの（ただし、下線は省略した。）と認める。　　　
　　　　　　　　　　　　　　　　　　　　　　　　　　　　　　　 
 「表示内容が変化可能な表示装置と、始動条件の成立に基づき該表示装置に複数の識別図柄を変動表示する変動表示ゲームを制御すると共に、前記始動条件の成立時に抽出した乱数の抽選結果が大当たりの場合に前記変動表示ゲームの表示結果として大当たり結果態様を表示させる表示制御手段と、を備え、
　前記大当たりの場合に特定の遊技価値を付与可能な遊技機において、
　前記表示制御手段は、
　前回までの変動表示ゲームに関する過去表示データとして変動表示ゲームがリーチ状態となった場合の前回のリーチ図柄を記憶する記憶手段と、
　前記乱数の抽選結果が大当たりの場合、及び変動表示ゲームの表示結果がはずれであって変動表示時間が基準以上である場合の何れかを実行条件の成立として、当該変動表示ゲームを、前記記憶手段に記憶された前回のリーチ図柄と同じ図柄を当てはめてリーチ状態を発生させる関連変動表示ゲームで制御する関連変動表示ゲーム制御手段と、
　を備え、
　前記関連変動表示ゲーム制御手段は、前記実行条件が成立するまで前回のリーチ図柄と同じ図柄でのリーチ状態の発生を禁止するとともに、前記乱数の抽選結果が大当たりの場合には、前記前回のリーチ図柄と同じ図柄で前記大当たり結果態様を仮停止させた後、再変動表示を行い、予め決定されている最終停止図柄で大当たり結果態様を表示することを特徴とする遊技機。」　　 
　 　　　　　　　　　　　　　　　　　　　　　　　　　　　　 
３．引用刊行物に記載される事項の認定　　
　　
　本願出願前に頒布された刊行物であり、当審の拒絶理由に引用した、特開２００１−２９３１８２号公報（以下、「引用例１」という。）には、次の記載がされている。　　
　
ア．「図１は、パチンコ遊技機１の遊技盤面１０を示す正面図である。遊技盤面１０のほぼ中央には、遊技に関連する図柄を表示する表示手段として液晶表示装置３が配置されている。この液晶表示装置３は、画像で表現される複数の図柄を変動表示して、３列の回転リールを擬似的に表示する。この変動表示する図柄を「特別図柄」という。特別図柄は、その変動表示が停止した時に所定の停止態様（例えば、“７−７−７”のような停止態様で、これを「大当り停止態様」という。）となれば、遊技者にとって有利な特別遊技状態への移行を示すものである。」（段落【００１８】）　
　
イ．「また、液晶表示装置３において、上記特別図柄の変動表示中は、様々な演出表示が行われる。この演出表示は、種々の映像で表現される。・・・・演出表示の表示内容は、上記特別遊技状態にどの位の可能性で移行するかという情報である「大当り信頼度」や、リーチ状態にどの位の可能性で移行するかという情報である「リーチ発展率」を報知或いは示唆するものである。」（段落【００１９】−【００２０】）　
　
ウ．「まず、前述の始動入賞口４に遊技球が入賞すると、液晶表示装置３での遊技が開始する。すなわち、図２(Ａ１)に示すように、表示画面３ａの表示領域５０Ｌ，５０Ｃ，５０Ｒで特別図柄の高速変動を開始すると共に演出表示を開始する（図３のｔ1）。」（段落【００２９】）　
　
エ．「上記図３のｔ10で停止表示された中図柄が左右図柄と同一である場合、すなわち特別遊技状態への移行を示す大当り停止態様が表示された場合は、その同一図柄を揃えた状態で一斉に変動表示を開始する（これを「再変動」という）。この「再変動」を所定時間行った後（図３のｔ11）、同一図柄を揃えた状態（ただし、「再変動」前の停止態様と同一とは限らない）で再び停止表示し、その後「揺れ表示」となり、所定時間後に停止図柄が確定する（図３のｔ12）。なお、「リーチ演出」は、「再変動」前の中図柄停止時（図３のｔ10）の所定時間手前（図３のｔ9）で終了しているため、その終了時の表示態様をこの停止図柄が確定する時点（ｔ12）まで保持するものとする。」（段落【００４０】）　
　
オ．「また、本実施例では、確定停止態様が大当り停止態様となる場合、「再変動」開始（図３のｔ9）以前のリーチ停止態様として、前回出現したリーチ停止態様を再度表示する。このように、遊技結果が大当り停止態様となる場合に同一のリーチ停止態様を連続させることで、遊技者に対して、“大当り”となる可能性が高いことを事前に報知することが可能となる。すなわち、事前に大当り判定をしていなくても、前回のリーチ停止態様出現時において既に大当り判定を行っていたかのような演出が可能となる。これによれば、前回のリーチ停止態様を認識している遊技者にとっては、再度同一のリーチ停止態様を認識することで、“大当り”になるのではないかという期待感が高まる。なお、「再変動」前のリーチ停止態様を前回のリーチ停止態様と同一とする処理については、後述の「リーチ図柄取得処理」で説明する。」（段落【００４５】）　
　
カ．「この「リーチ発展示唆表示」は、その後行われるリーチ演出がどのような演出パターンとなるのか、すなわち、その後行われるリーチ演出が大当り信頼度の高いものとなるかどうかを示唆するものである。」（段落【００５８】）　
　
キ．「次に、図１２は、各「リーチ演出」が表示画面３ａに表示された場合の大当り信頼度、背景画像とそのスクロール方向、及び各「リーチ演出」が行われる前の「リーチ発展示唆表示」の対応関係を示している。本実施例では、“ノーマルリーチ”、“神輿リーチ”、“男比べリーチ”、“盆踊りリーチ”、“金魚すくいリーチ”、“射的リーチ”、及び“たこ焼きリーチ”の７種類の「リーチ演出」が設定されている。」（段落【００７２】）　
　
ク．「「特別図柄ゲーム制御処理」について、図２１及び図２２のフローチャートを参照して説明する。」（段落【０１３４】）　
　
ケ．「始動入賞記憶があるとの判別であれば、以下の処理を行う。　
　前述のＳＴ１３でメインＲＡＭ３０ｃの所定アドレスに記憶された「大当り判定用乱数カウンタ」のカウント値を「大当り判定用乱数」として読み出し、メインＲＯＭ３０ｂ内の「大当り判定テーブル」を参照して“大当り”か否かを判定する（ＳＴ２６）。」（段落【０１３７】−【０１３８】）　
　
コ．「ＳＴ２６の判定が“大当り”であれば、前述のＳＴ１１で更新された「大当り図柄選択用乱数カウンタ」のカウント値を「大当り図柄選択用乱数」として読み出す。そして、メインＲＯＭ３０ｂ内の「大当り図柄選択テーブル」を参照して、予め定められた大当り停止態様の中から一つを選択する（ＳＴ３２）。」（段落【０１４０】）　
　
サ．「次に、実行コマンド“ＲＥＡＣＨ＿ＳＹＭＢＯＬ＿ＧＥＴ”を読み出したときは、「確定図柄」が大当り図柄となる場合、「再変動」開始（図３のｔ10）前のリーチ図柄を前回出現したリーチ図柄とする「リーチ図柄取得処理」が実行される。なお、この実行コマンド“ＲＥＡＣＨ＿ＳＹＭＢＯＬ＿ＧＥＴ”は、前述の大当り判別が“大当り”であるとき（図２１のＳＴ２６で“ＹＥＳ”）、又は“リーチ有ハズレ”であるとき（図２１のＳＴ２７の処理で“ＮＯ”）にのみ処理される実行コマンドである。　
　この「リーチ図柄取得処理」によれば、リーチ停止態様を前回出現したリーチ停止態様と同一とすることで大当り信頼度の高いことを報知するが、「再変動」後の確定停止態様が「特定停止態様」であるか否かでその処理は異なる。」（段落【０１８３】−【０１８４】）　
　
シ．「確定停止態様が「特定停止態様」でない場合（ＳＴ１０８の判別で“ＮＯ”の場合）は、「リーチ停止態様（旧）」が「特定停止態様」を構成するものか否かを判別する（ＳＴ１０９）。この判別が“ＹＥＳ”である場合、すなわち、前回のリーチ停止態様である「リーチ停止態様（旧）」が「特定停止態様」を構成する場合は、前回のリーチ停止態様を「再変動」前のリーチ停止態様としては採用せず、ＳＴ１１１の処理に移行する。これは、今回の確定停止態様が「特定停止態様」でないため、今回のリーチ停止態様として前回のリーチ停止態様と同一の「特定停止態様」を表示することは、遊技者にリーチ状態で“確変大当り”を期待させておきながら、確定停止態様が「非特定停止態様」で“確変大当り”とならないという状況を発生させないためである。すなわち、確定停止態様が「非特定停止態様」である場合に、遊技者に“確変大当り”への期待を抱かせないためである。」（段落【０１９０】）　
　
ス．【図３】には、表示画面３ａにおける表示のタイムチャートが示されるとともに、ｔ６−ｔ８は「ノーマルリーチの場合、この区間なし」と記載されている。　
　
セ．【図１２】には、複数のリーチ演出が示されているが、ノーマルリーチの「大当り信頼度」は「０．２７」と最も低く、「リーチ発展示唆表示」も「なし」と記載されている。　
　
　
４．引用刊行物記載の発明の認定　　
　
　引用例１は、ア．の記載によれば「液晶表示装置３」を有する「パチンコ遊技機１」に関するものであり、該遊技機の「液晶表示器３」には「複数の」「特別図柄」が変動表示されるとともに、「大当り停止態様」となれば「遊技者にとって有利な特別遊技状態」へと「移行」するものである。そして、ここでの特別図柄の変動表示は、ウ．にあるとおり「始動入賞口４に遊技球が入賞すると」開始するものであり、ク．の記載によれば「特別図柄ゲーム制御処理」によるものである。具体的には、ケ．にあるとおり「始動入賞記憶がある」ときに「大当り判定用乱数」を読み出して「“大当り”か否かを判定」し、コ．にあるとおり「“大当り”であれば・・・予め定められた大当り停止態様の中から一つを選択する」ものである。　
　これを整理すると、引用例１には、「液晶表示装置３を有し、始動入賞口４に遊技球が入賞すると液晶表示装置３に複数の特別図柄を変動表示する特別図柄ゲームを制御処理すると共に、始動入賞記憶があるときに読み出した大当り判定用乱数による判定が大当りの場合に、選択された大当り停止態様を表示させ、大当りとなれば遊技者にとって有利な特別遊技状態へと移行する、パチンコ遊技機１」なる発明事項が記載されている。　
　
　また引用例１には、イ．にあるとおり「様々な演出表示」を有して「大当り信頼度」を「報知あるいは示唆」することが記載されているから、すなわち、「様々な演出表示により大当り信頼度を報知あるいは示唆する」という発明事項が開示されている。　
　
　さらに引用例１は、サ．にあるとおり、「大当り又はリーチ有ハズレであるときに処理される実行コマンド“ＲＥＡＣＨ＿ＳＹＭＢＯＬ＿ＧＥＴ”」を有し、この実行コマンドを読み出したときは「「再変動」開始（図３のｔ10）前のリーチ図柄を前回出現したリーチ図柄とする「リーチ図柄取得処理」が実行」されるが、この「リーチ図柄取得処理」とは「リーチ停止態様を前回出現したリーチ停止態様と同一とすることで大当り信頼度の高いことを報知する」ものである。そしてこの処理により、引用例１ではオ．にあるとおり、「確定停止態様が大当り停止態様となる場合」には、「「再変動」開始（図３のｔ9）以前のリーチ停止態様として、前回出現したリーチ停止態様を再度表示」している。さらに「再変動」については、エ．にあるとおり、「停止表示された中図柄が左右図柄と同一」という「大当り停止態様が表示」されたうえで、「その同一図柄を揃えた状態で」さらに「変動表示を開始する」ことが記載されている。　
　これらを整理すると、引用例１には、「リーチ停止態様を前回出現したリーチ停止態様と同一とすることで大当り信頼度の高いことを報知する、リーチ図柄取得処理を有し、大当り又はリーチ有ハズレで処理される実行コマンドを読み出すときに、リーチ図柄取得処理を実行し、確定停止態様が大当り停止態様となる場合には、再変動開始前のリーチ停止態様として、前回出現したリーチ停止態様を再度表示し、再変動では既に停止した左右図柄と同一の中図柄で大当り停止態様を表示したうえでさらに変動表示を行う」という発明事項が開示されている。　
　
　これに加えて、引用例１ではキ．にあるとおり「ノーマルリーチ」ほか「７種類」のリーチを有しているが、その中で「ノーマルリーチ」は、ス．にあるとおり他のリーチが有する時間軸上の「区間ｔ６−ｔ８」を有しておらず、セ．にあるとおり他のリーチに比して「大当り信頼度」が最も低く、カ．及びセ．が示すとおり「大当り信頼度」高いかどうかを示唆する「リーチ発展示唆表示」を持たされていない。　
　すなわち、引用例１には「リーチ種類としてはノーマルリーチほか７種類のリーチを有するが、ノーマルリーチは他のリーチが有する時間区間ｔ６−ｔ８を有さず、大当り信頼度が最も低く、他のリーチが有する大当り信頼度の示唆であるリーチ発展示唆表示をノーマルリーチでは行わない」という発明事項が開示されている。　
　
　以上をまとめると、引用例１には、　　
　「液晶表示装置３を有し、始動入賞口４に遊技球が入賞すると液晶表示装置３に複数の特別図柄を変動表示する特別図柄ゲームを制御処理すると共に、始動入賞記憶があるときに読み出した大当り判定用乱数による判定が大当りの場合に、選択された大当り停止態様を表示させ、　
　大当りとなれば遊技者にとって有利な特別遊技状態へと移行する、パチンコ遊技機１であって、　
　様々な演出表示により大当り信頼度を報知あるいは示唆するものであり、
　リーチ停止態様を前回出現したリーチ停止態様と同一とすることで大当り信頼度の高いことを報知する、リーチ図柄取得処理を有し、　
　大当り又はリーチ有ハズレで処理される実行コマンドを読み出すときに、リーチ図柄取得処理を実行し、　
　確定停止態様が大当り停止態様となる場合には、再変動開始前のリーチ停止態様として、前回出現したリーチ停止態様を再度表示し、再変動では既に停止した左右図柄と同一の中図柄で大当り停止態様を表示したうえでさらに変動表示を行うものであるとともに、　
　リーチ種類としてはノーマルリーチほか７種類のリーチを有するが、ノーマルリーチは他のリーチが有する時間区間ｔ６−ｔ８を有さず、大当り信頼度が最も低く、他のリーチが有する大当り信頼度の示唆であるリーチ発展示唆表示を、ノーマルリーチでは行わない、　
　パチンコ遊技機１」　　
　の発明（以下「引用発明」という）が記載されている。　　
　
　　
５．本願発明と引用発明の一致点及び相違点の認定　　　
　　
　引用発明における「液晶表示装置３」、「特別図柄」、「特別図柄ゲーム」、「大当り」、「パチンコ遊技機１」は、それぞれ本願発明における「表示内容が変化可能な表示装置」、「識別図柄」、「変動表示ゲーム」、「大当たり」、「遊技機」に相当する。　
　そのため、引用発明において「始動入賞口４に遊技球が入賞すると液晶表示装置３に複数の特別図柄を変動表示する特別図柄ゲームを制御処理すると共に、始動入賞記憶があるときに読み出した大当り判定用乱数による判定が大当りの場合に、選択された大当り停止態様を表示させ」ることは、本願発明において「始動条件の成立に基づき該表示装置に複数の識別図柄を変動表示する変動表示ゲームを制御すると共に、前記始動条件の成立時に抽出した乱数の抽選結果が大当たりの場合に前記変動表示ゲームの表示結果として大当たり結果態様を表示させ」ることに相当する。また、引用発明もそのための「表示制御手段」を有することは当然である。さらに、引用発明において「大当りとなれば遊技者にとって有利な特別遊技状態へと移行する」ことは、本願発明が「前記大当たりの場合に特定の遊技価値を付与可能」であることに相当する。　
　すなわち、「表示内容が変化可能な表示装置と、始動条件の成立に基づき該表示装置に複数の識別図柄を変動表示する変動表示ゲームを制御すると共に、前記始動条件の成立時に抽出した乱数の抽選結果が大当たりの場合に前記変動表示ゲームの表示結果として大当たり結果態様を表示させる表示制御手段と、を備え、前記大当たりの場合に特定の遊技価値を付与可能な遊技機」であることは、引用発明と本願発明との一致点である。　
　
　引用発明が「リーチ停止態様を前回出現したリーチ停止態様と同一とすることで大当り信頼度の高いことを報知する」からには、そのような表示制御を行う手段の一部として、前回のリーチ図柄を記憶する手段を有することは明らかであるし、また、特別図柄ゲーム（本願発明の「変動表示ゲーム」に相当）をそのような過去との関連づけで制御する手段を有することも明らかである。　
　すなわち、「前記表示制御手段」が、「前回までの変動表示ゲームに関する過去表示データとして変動表示ゲームがリーチ状態となった場合の前回のリーチ図柄を記憶する記憶手段」、及び、「当該変動表示ゲームを、前記記憶手段に記憶された前回のリーチ図柄と同じ図柄を当てはめてリーチ状態を発生させる関連変動表示ゲームで制御する関連変動表示ゲーム制御手段と、を備え」ることは、引用発明と本願発明との一致点である。　
　
　引用発明における「確定停止態様が大当り停止態様となる場合には、再変動開始前のリーチ停止態様として、前回出現したリーチ停止態様を再度表示し、再変動では既に停止した左右図柄と同一の中図柄で大当り停止態様を表示したうえでさらに変動表示を行う」について検討すると、「確定停止態様が大当り停止態様となる」ことは、引用発明において「大当り判定乱数」による「判定」に基づくものであるから、引用発明における当該「場合」とは本願発明の「前記乱数の抽選結果が大当たりの場合」に相当する。また、引用発明において「前回出現したリーチ停止態様」を用いたうえで「左右図柄と同一の中図柄で大当り停止態様を表示」することは、本願発明の「前記前回のリーチ図柄と同じ図柄で前記大当たり結果態様を仮停止させた後、」に相当し、そのうえで引用発明が「さらに変動表示を行う」ことは、本願発明の「再変動表示を行い」に相当する。
　さらに、「確定停止態様が大当り停止態様となる場合」とは、引用発明において「大当り判定用乱数による判定が大当りの場合に、選択された大当り停止態様」として予め決定された図柄での大当り態様を、最終的に停止表示することは明らかであるから、この点は本願発明の「予め決定されている最終停止図柄で大当たり結果態様を表示する」とも一致する。　
　加えて、引用発明においても、これらの制御は前回リーチ図柄と関連する特別図柄ゲームを制御する手段が行うことは明らかである。　
　すなわち、「前記関連変動表示ゲーム制御手段は、前記乱数の抽選結果が大当たりの場合には、前記前回のリーチ図柄と同じ図柄で前記大当たり結果態様を仮停止させた後、再変動表示を行い、予め決定されている最終停止図柄で大当たり結果態様を表示することを特徴とする遊技機」であることは、引用発明と本願発明との一致点である。　
　
　以上をまとめると、本願発明と引用発明とは、　
　「表示内容が変化可能な表示装置と、始動条件の成立に基づき該表示装置に複数の識別図柄を変動表示する変動表示ゲームを制御すると共に、前記始動条件の成立時に抽出した乱数の抽選結果が大当たりの場合に前記変動表示ゲームの表示結果として大当たり結果態様を表示させる表示制御手段と、を備え、　
　前記大当たりの場合に特定の遊技価値を付与可能な遊技機において、　
　前記表示制御手段は、　
　前回までの変動表示ゲームに関する過去表示データとして変動表示ゲームがリーチ状態となった場合の前回のリーチ図柄を記憶する記憶手段と、　
　当該変動表示ゲームを、前記記憶手段に記憶された前回のリーチ図柄と同じ図柄を当てはめてリーチ状態を発生させる関連変動表示ゲームで制御する関連変動表示ゲーム制御手段と、　
　を備え、　
　前記関連変動表示ゲーム制御手段は、前記乱数の抽選結果が大当たりの場合には、前記前回のリーチ図柄と同じ図柄で前記大当たり結果態様を仮停止させた後、再変動表示を行い、予め決定されている最終停止図柄で大当たり結果態様を表示することを特徴とする遊技機。」　
　である点で一致し、以下の点で相違する。　
　　　
＜相違点＞　　
　本願発明では、前回のリーチ図柄によるリーチ状態の発生を、「前記乱数の抽選結果が大当たりの場合、及び変動表示ゲームの表示結果がはずれであって変動表示時間が基準以上である場合の何れかを実行条件の成立として」行う一方、「前記実行条件が成立するまで」は「禁止」するのに対して、引用発明ではそうした記載がない点。　
　
　　
６．相違点の判断　　　　　　　　　　　　　　　　　　　　　　　　
　　
　引用例１には、たしかに上記相違点に係る本願発明の構成を有することは明記されていないが、引用発明は「様々な演出表示により大当り信頼度を報知あるいは示唆する」遊技機であるうえに、「リーチ停止態様を前回出現したリーチ停止態様と同一とすること」の目的も、「大当り信頼度の高いこと」の報知である。　
　そのうえで、前回リーチ図柄を用いた「リーチ停止態様」による予告報知は、大当りかリーチはずれとなる場合しか実行しようがないものであるが、引用発明には複数種のリーチ状態を設けたうえで、「ノーマルリーチ」は大当り信頼度をきわめて低く設定するとともに、他のリーチが有する「時間区間ｔ６−ｔ８」をなくし、すなわち変動表示時間も他のリーチに比べて短くし、また他のリーチが有する大当り信頼度の示唆を持たせないことが記載されている。　
　さらに、引用例１には、前回リーチ図柄を用いたリーチ停止態様による予告報知について、予告がかえって遊技者の失望につながることを防止する配慮も示されており、その具体例としてはシ．に記載されたとおり、前回リーチ図柄を用いる予告を実行すれば遊技者に“確変大当り”の期待を抱かせて失望させる局面において、前回リーチ図柄によるリーチ状態の発生を禁止している。　　
　このような引用例１の開示と示唆とに従えば、前回リーチ図柄によるリーチ状態を発生させる処理について、「大当り信頼度の高いこと」を報知するというその目的を効果的に奏することを考慮する当業者であれば、当該処理を実際に「大当り信頼度」がある程度高い場合に実施するとともに、「大当り信頼度」がきわめて低い場合には失望防止のために禁止することは、十分に想到し得た事項である。そしてその際、引用例１では大当り信頼度の示唆のための「リーチ発展示唆表示」を、他より信頼度が低く変動表示時間が短い「ノーマルリーチ」では省いていることも勘案すれば、前回リーチ図柄によるリーチ状態を用いる予告報知についても、その実施条件を、ある程度信頼度が高いといい得る、大当りあるいは変動表示時間が基準以上のリーチの場合のみとし、その条件が成立しない場合には禁止することは、適宜選択し得たものというほかはない。　
　すなわち、引用発明に対する相違点に係る本願発明の構成を得ることは困難性のない事項であり、そうしたことによる格別の作用効果も認めることができない。　
　
　したがって、本願発明は当審の拒絶理由に示された引用例に記載される引用発明に基づいて当業者が容易に発明をすることができたものであるから、特許法２９条２項の規定により特許を受けることができない。　　　　
　　　
　　　
７．むすび　　　
　
　よって、結論のとおり審決する。